(57)【要約】【課題】本発明は、塗布部の出没が可能であって、塗布部の封止機能が高い出没式塗布具を提供する。【解決手段】塗布部１０を封止する封止空間４７を形成可能なシール部７を有し、シール部７は、塗布部１０の一部を挿通可能な挿通孔４０と、磁力を発生可能な強磁性体３６，３７を有し、塗布部１０が挿通孔４０を挿通して封止空間４７の外部に露出した露出姿勢と、塗布部１０が封止空間４７内に収容された収容姿勢とに切り替え可能であり、収容姿勢において、磁力によって挿通孔４０が閉塞されて封止空間４７が形成される構成とする。【選択図】図２
2016172343.tif 000002
【特許請求の範囲】
【請求項１】
先端に塗布部が露出したペン先部材と、前記ペン先部材を収容する軸筒を備えた出没式塗布具において、
前記塗布部を封止する封止空間を形成可能なシール部を有し、
前記シール部は、前記塗布部の一部を挿通可能な挿通孔と、磁力を発生可能な磁力発生部を有し、
前記塗布部が挿通孔を挿通して封止空間の外部に露出した露出姿勢と、前記塗布部が前記封止空間内に収容された収容姿勢とに切り替え可能であり、
前記収容姿勢において、磁力によって挿通孔が閉塞されて封止空間が形成されていることを特徴とする出没式塗布具。
【請求項２】
前記挿通孔は、スリットであり、
前記シール部は、対向する一対の閉塞壁部を有し、
前記閉塞壁部は、前記挿通孔の内壁を構成するものであり、
前記磁力発生部は、引き付け合う一対の強磁性体によって構成されており、
前記強磁性体は、前記一対の閉塞壁部にそれぞれ設けられており、
前記収容姿勢において、一対の閉塞壁部は、前記一対の強磁性体の磁力によって圧着していることを特徴とする請求項１に記載の出没式塗布具。
【請求項３】
収容姿勢から露出姿勢に切り替えるときに、前記一方の閉塞壁部にペン先部材の塗布部又は他の部位が当接し、前記一方の閉塞壁部が弾性変形して挿通孔が開口されることを特徴とする請求項２に記載の出没式塗布具。
【請求項４】
前記塗布部は、塗布時において被塗布物に接触する面であって、所定の方向に延びた塗布面を有し、
前記塗布面は、収容姿勢において、前記挿通孔の長手方向と平行となっていることを特徴とする請求項２又は３に記載の出没式塗布具。
【請求項５】
前記磁力発生部は、軸筒の内部に位置していることを特徴とする請求項１〜４のいずれかに記載の出没式塗布具。
【発明の詳細な説明】
【技術分野】
【０００１】
本発明は、マーキングペン等の出没式塗布具に関する。ペン先部材の封止構造を備えた出没式塗布具に関する。
【背景技術】
【０００２】
塗布具の一つにマーキングペンと称されるものがある。マーキングペンは、樹脂や繊維束等で作られたペン先チップを有する筆記用具の一種であり、当該ペン先チップからインキを漏出させて文字や絵を書いたり、ラインを引いたりといった用途に供するものである。
【０００３】
ところで、マーキングペンは、通常、ペン先チップの乾燥を防ぐためにキャップを取り付けて、封止されるものが多い。このようなマーキングペンは、使用時には、キャップを取り外してペン先チップを塗布し、不使用時には、キャップを取り付けてペン先チップを封止するものである。しかしながら、このようなマーキングペンのようにキャップを設けると、使用時にキャップが不要となるため、紛失するおそれがある。
【０００４】
そこで、近年では、ノック式のマーキングペンが開発されている。このノック式のマーキングペンとしては、例えば、特許文献１に記載の筆記具がある。
特許文献１に記載の筆記具は、内外を連通する連通孔を設け、この連通孔を板バネによって開閉することによって、筆記芯を外気からシールし、インキの乾燥を防止している。この特許文献１に記載の筆記具であれば、自己の動作によってシールされるので、キャップが不要となる。そのため、この特許文献１に記載の筆記具であれば、キャップの紛失が生じることを防止できる。
【先行技術文献】
【特許文献】
【０００５】
【特許文献１】特開２００４−３１４５１３号公報
【発明の概要】
【発明が解決しようとする課題】
【０００６】
しかしながら、特許文献１に記載の筆記具は、板バネの弾性復元力によって連通孔の壁面を圧着して閉塞するので、挟持部分の距離が近くなると、圧着力が弱くなる。そのため、十分に気密性を確保するためには、１ｋｇ程度のバネ圧を確保する必要があった。
また、特許文献１に記載の筆記具は、板バネの弾性復元力によって壁面間を圧着して閉塞するので、板バネの押圧部分間の距離が大きくなるにつれて反力が大きくなる。すなわち、筆記部が前方に進み、板バネの押圧部分間が離れるにつれて、その板バネから受ける力も強くなり、重くなってしまう。その結果、筆記部を軸筒から突出させるために姿勢変更を行うにあたって、かなりの力が必要となってしまう。そのため、特許文献１に記載の筆記具は、過剰に力を加える必要があり、スムーズに筆記部を露出させることができないという問題がある。
さらに、特許文献１に記載の筆記具は、板バネによって連通孔を圧着させて密閉するので、開閉を繰り返すことによって板バネが徐々に弱まり、封止機能が弱くなる場合があった。
【０００７】
そこで、本発明は、塗布部の出没が可能であって、塗布部の封止機能が高い出没式塗布具を提供することを課題とする。
【課題を解決するための手段】
【０００８】
上記した課題を解決するための請求項１に記載の発明は、先端に塗布部が露出したペン先部材と、前記ペン先部材を収容する軸筒を備えた出没式塗布具において、前記塗布部を封止する封止空間を形成可能なシール部を有し、前記シール部は、前記塗布部の一部を挿通可能な挿通孔と、磁力を発生可能な磁力発生部を有し、前記塗布部が挿通孔を挿通して封止空間の外部に露出した露出姿勢と、前記塗布部が前記封止空間内に収容された収容姿勢とに切り替え可能であり、前記収容姿勢において、磁力によって挿通孔が閉塞されて封止空間が形成されていることを特徴とする出没式塗布具である。
【０００９】
本発明の構成によれば、塗布部が挿通孔を挿通して封止空間の外部に露出した露出姿勢とすることによって、塗布部の露出部分が封止空間から開放されるので、当該露出部分によって被塗布物に対して、塗布を行うことができる。
また、本発明の構成によれば、収容姿勢における塗布部の封止を磁力発生部で生じる磁力によって行っている。そのため、特許文献１のような板バネによって封止する場合とは異なり、露出姿勢と収容姿勢の切り替え回数に伴って封止機能が低下しない。
【００１０】
請求項２に記載の発明は、前記挿通孔は、スリットであり、前記シール部は、対向する一対の閉塞壁部を有し、前記閉塞壁部は、前記挿通孔の内壁を構成するものであり、前記磁力発生部は、引き付け合う一対の強磁性体によって構成されており、前記強磁性体は、前記一対の閉塞壁部にそれぞれ設けられており、前記収容姿勢において、一対の閉塞壁部は、前記一対の強磁性体の磁力によって圧着していることを特徴とする請求項１に記載の出没式塗布具である。
【００１１】
本発明の構成によれば、挿通孔がスリットであり、磁力発生部からの磁力が挿通孔の内壁を構成し対向する閉塞壁部同士が近接する方向に働き、閉塞壁部同士が接触して圧着されている。
ここで、磁力は、距離の二乗に反比例するので、距離が近いほど大きな力が働く。すなわち、一対の閉塞壁部が互いに接触した状態では、一対の閉塞壁部が離れた状態に比べて、強磁性体同士の距離が近くなっているので、より強い引力が働く。すなわち、特許文献１のような板バネを使用する場合とは異なり、閉塞壁部が近づいた状態で押圧力が弱くならないので、シール部内がきっちりと密閉され、封止機能が高い。
【００１２】
請求項３に記載の発明は、収容姿勢から露出姿勢に切り替えるときに、前記一方の閉塞壁部にペン先部材の塗布部又は他の部位が当接し、前記一方の閉塞壁部が弾性変形して挿通孔が開口されることを特徴とする請求項２に記載の出没式塗布具である。
【００１３】
本発明の構成によれば、収容姿勢においては、一対の閉塞壁部が接触して、強磁性体間の距離が近くなっている。そのため、塗布部が封止空間内で強固に封止される。
ここで、磁力は、距離の二乗に反比例するので、距離が離れると急激に低下する。すなわち、収容姿勢から露出姿勢に切り替える際には、一方の閉塞壁部にペン先部材の塗布部又は他の部位が当接することで、一方の閉塞壁部が弾性変形して挿通孔が開口されて、強磁性体間の距離が離れるので、特許文献１に記載の筆記具のような板バネの弾性復元力によって閉塞する場合に比べて、小さな力で露出姿勢にすることができる。
【００１４】
請求項４に記載の発明は、前記塗布部は、塗布時において被塗布物に接触する面であって、所定の方向に延びた塗布面を有し、前記塗布面は、収容姿勢において、前記挿通孔の長手方向と平行となっていることを特徴とする請求項２又は３に記載の出没式塗布具である。
【００１５】
本発明の構成によれば、収容姿勢において、塗布部の塗布面が挿通孔と平行となっているので、閉塞壁部との接触等によって、塗布面が痛みにくい。
【００１６】
請求項５に記載の発明は、前記磁力発生部は、軸筒の内部に位置していることを特徴とする請求項１〜４のいずれかに記載の出没式塗布具である。
【００１７】
本発明の構成によれば、磁力発生部が軸筒の内部にあり、軸筒によって隠されているため、見栄えがよい。
【発明の効果】
【００１８】
本発明の出没式塗布具によれば、塗布部の出没が可能であって、塗布部の封止機能が高い。
【図面の簡単な説明】
【００１９】
【図１】本発明の第１実施形態に係る出没式塗布具を表す斜視図である。
【図２】図１の出没式塗布具の説明図であり、（ａ）塗布可能状態の縦断面図であり、（ｂ）退避状態の縦断面図である。
【図３】図１の出没式塗布具の分解斜視図である。
【図４】図３のシール部を他の方向からみた斜視図である。
【図５】図１の出没式塗布具が退避状態から塗布可能状態に変更する際の要部の断面図であり、（ａ）から（ｃ）は変更時の各状態を表す。
【図６】図１の出没式塗布具が塗布可能状態から退避状態に変更する際の要部の断面図であり、（ａ）から（ｃ）は変更時の各状態を表す。
【図７】本発明の他の実施形態に係る出没式塗布具を表す斜視図である。
【図８】本発明の他の実施形態に係る出没式塗布具の要部の断面図である。
【発明を実施するための形態】
【００２０】
以下、本発明の実施形態について詳細に説明する。
【００２１】
本発明の第１実施形態の出没式塗布具１は、ノック式のマーキングペンである。第１実施形態の出没式塗布具１は、図１，図２から読み取れるように、使用者がノック筒３を押圧することによって、ペン先部材６の塗布部１０が軸筒２の先端側開口部１１から突出して塗布可能状態となり、再度ノック筒３を押圧することによって、ペン先部材６の塗布部１０が軸筒２の先端側開口部１１から内部に退避して退避状態となるものである。
すなわち、出没式塗布具１は、塗布可能状態において、軸筒２から塗布部１０が露出するので紙等の被塗布物に対して塗布液たるインキを塗布することが可能となり、退避状態において、軸筒２内に塗布部１０が収納されるので、塗布部１０が外部に接触することがなく、インキが服等につくことを防止できる。
【００２２】
また、出没式塗布具１は、インキの乾燥を防止するためのシール部７を備えており、このシール部７の構造を主な特徴としている。
【００２３】
出没式塗布具１は、図３に示されるように、軸筒２と、ノック筒３と、インキ収容部５と、ペン先部材６と、シール部７と、ばね部材８を有している。
【００２４】
軸筒２は、使用者が把持する部材であり、所定の方向に直線状に延びた円筒状の筒体である。
軸筒２は、前方側から後方側に向けて順に先端側形成部１３と、後端側形成部１４によって構成されている。
軸筒２は、先端側形成部１３の後端部近傍に設けられた先端側係合部１６と、後端側形成部１４の先端部近傍に設けられた後端側係合部１７が互いに係合することによって一体化されたものである。
具体的には、先端側係合部１６は、外ネジであり、後端側係合部１７は内ネジである。すなわち、先端側係合部１６と後端側係合部１７は螺合することによって一体化されている。
先端側形成部１３は、軸方向の中間部に内側面から径方向に突出した係止部１９を備えている。
係止部１９は、シール部７の固定部３８と係合してシール部７の前方側への移動を係止する部位であり、具体的には、周方向に連続的又は間欠的に延びたリブである。
後端側形成部１４の後端部には、径方向の内側に突出した突出部１８を有している。
突出部１８は、後端側形成部１４の内側面から径方向に立設された突条であり、周方向に延びている。
【００２５】
また、軸筒２は、先端部にペン先部材６の塗布部１０を挿通可能な先端側開口部１１を有し、後端部にノック筒３を挿入可能な後端側開口部１２を有している。
具体的には、先端側開口部１１は、先端側形成部１３の先端面に設けられた開口である。後端側開口部１２は、後端側形成部１４の後端面に設けられた開口である。すなわち、後端側開口部１２は、突出部１８の突出方向の先端部によって形成された開口である。
【００２６】
ノック筒３は、使用者がノック操作を行う部位であり、ノック操作に連動して直接的又は間接的にペン先部材６の塗布部１０を軸筒２から出没させる部位である。
ノック筒３は、先端部に径方向外側に向けて張り出したフランジ部１５を有している。
フランジ部１５は、軸筒２の後端部に設けられた突出部１８と係合してノック筒３自身が軸筒２から抜け落ちることを防止する部位である。
【００２７】
インキ収容部５は、インキを収容可能な部位であり、図３に示されるように、収容本体２０と、支持部２１から構成されている。
収容本体２０は、インキを吸蔵したインキ吸蔵体２２を収容可能な部位であり、後端部側が閉塞され、前端部側の一部が閉塞された筒状の部位である。そして、収容本体２０は、インキ吸蔵体２２を収納可能な収容空間２３を有している。
【００２８】
支持部２１は、図３に示されるように、軸方向Ｌに延びた筒状の部位であり、その径方向の中央に連通孔２４を有している。また、支持部２１は、ペン先部材６の一部を挿着可能な部位であり、内部にペン先部材６を挿着することによってペン先部材６を支持可能となっている。
連通孔２４は、収容本体２０の収容空間２３をインキ収容部５の外部と連通させる連通孔であって、収容本体２０の先端から軸方向Ｌに延びた貫通孔である。すなわち、連通孔２４は、その内部に収容本体２０の収容空間２３と連続した保持空間２５を有している。
連通孔２４の開口形状は、円形状であり、その内径は、ペン先部材６の中間部の外径とほぼ一致している。
【００２９】
支持部２１は、図３に示されるように、収容本体２０の先端部と接続されており、支持部２１の中心軸と収容本体２０の中心軸は、軸筒２の中心軸と一致している。また支持部２１の外径は、収容本体２０の外径よりも小さい。すなわち、支持部２１の側面は、収容本体２０の側面と収容本体２０の先端面を介して段状に連続している。
【００３０】
ペン先部材６は、直線状に延びた棒状の部材であり、被塗布物にインキを塗布する部材である。ペン先部材６は、図２に示されるように、先端部側から塗布部１０と、取付部２６と、吸引部２７を有している。
ペン先部材６は、繊維方向が軸方向Ｌ（長手方向）を向いたフェルトによって形成されている。すなわち、ペン先部材６は、後端側の吸引部２７から吸蔵したインキを、取付部２６を介して先端側の塗布部１０に供給可能となっている。
【００３１】
塗布部１０は、図３に示されるようにフラットチゼル形状をしており、径方向に直線状に延びた塗布面２８と、塗布面２８から後方（取付部２６側）に向かって傾斜した傾斜面２９を有している。塗布部１０は、基端側（取付部２６側）から先端側（塗布面２８側）に向かうにつれて漸次断面積が減少している。
塗布面２８は、インキの塗布時において、被塗布物に対して主に接触する面であり、長方形状の面である。
傾斜面２９は、塗布面２８に対して傾斜した面である。
【００３２】
取付部２６は、インキ収容部５の支持部２１の連通孔２４に圧入されて取り付けられる部位である。
吸引部２７は、インキ収容部５の収容空間２３内に配されたインキ吸蔵体２２からインキを吸引する部位である。
【００３３】
シール部７は、ペン先部材６の塗布部１０を封止し、塗布部１０の乾燥を防止する部位である。すなわち、シール部７は、図４に示されるように、ペン先部材６の塗布部１０を封止する封止空間４７を形成する部位である。
シール部７は、図３，図４から読み取れるように、シール本体３５と、一対の強磁性体３６，３７（磁力発生部）を有している。
【００３４】
シール本体３５は、可撓性のある弾性体によって形成される部位である。具体的には、シール本体３５は、弾性樹脂によって形成されており、固定部３８と、本体部３９から構成されている。
固定部３８は、軸筒２の内周面に一体的に取り付けられ、シール本体３５の位置を固定する部位である。また固定部３８は、その後端面でばね部材８の先端部位を受ける部位でもある。
固定部３８は、図４に示されるように、円環状の板状部位であり、その中央に挿通開口４１を有している。
挿通開口４１は、インキ収容部５の支持部２１を挿通可能な開口であり、開口径がインキ収容部５の支持部２１の外径とほぼ同じとなっている。
【００３５】
本体部３９は、一枚の板状体を前方側が凸の山なり形状となるように湾曲させた部位である。本体部３９は、ペン先部材６の塗布部１０を収納して封止可能な封止空間４７を有しており、本体部３９の先端部近傍には、挿通孔４０を有している。
【００３６】
挿通孔４０は、ペン先部材６の塗布部１０の一部を挿通可能な孔であり、部材厚方向に貫通した貫通孔である。すなわち、挿通孔４０は、封止空間４７とその外部を連通する連通孔でもある。
具体的には、挿通孔４０はスリットであり、その延び方向（長手方向）は、ペン先部材６の塗布面２８の延び方向と同一方向に向いており、互いに平行となっている。
また、挿通孔４０の長さは、ペン先部材６の塗布部１０よりも大きく、その延び方向に対して直交する方向に開いた状態において、塗布部１０を挿入可能となっている。
【００３７】
本体部３９を別の観点からみると、本体部３９は、挿通孔４０の内壁を構成する一対の閉塞壁部４２，４３と、閉塞壁部４２，４３と固定部３８を接続する接続壁部４５，４６から構成されている。
閉塞壁部４２，４３は、強磁性体３６，３７によって圧着されて挿通孔４０の開口を閉塞する壁部である。閉塞壁部４２，４３は、挿通孔４０の延び方向に対して直交する方向において互いに対面している。
接続壁部４５，４６は、後端側（固定部３８側）から前端側（閉塞壁部４２，４３側）に向けて湾曲し曲面を形成している。
【００３８】
強磁性体３６，３７は、対向する一対の閉塞壁部４２，４３を押圧して、挿通孔４０を閉塞する部位である。すなわち、強磁性体３６，３７は、本体部３９の挿通孔４０を閉塞して封止空間４７を密閉する部位である。
強磁性体３６，３７は、磁力を発生する磁力発生部を構成する部位である。強磁性体３６，３７は、対をなしており、互いに引き付け合うものである。
強磁性体３６，３７は、具体的には、磁石であり、ともに磁力を発生可能となっている。一方の強磁性体３６はＮ型磁石で形成されており、他方の強磁性体３７はＳ型磁石で形成されている。
【００３９】
ばね部材８は、圧縮コイルばねであり、その内部にインキ収容部５の支持部２１を挿通可能となっている。
【００４０】
続いて、退避状態（収容姿勢）における出没式塗布具１の各部材の位置関係について説明する。
【００４１】
出没式塗布具１は、図２（ｂ）に示されるように、軸筒２の内部に主要部材が収納されている。軸筒２の後端部を構成する後端側開口部１２には、ノック筒３が挿入されており、フランジ部１５は、軸筒２の突出部１８と係合している。ノック筒３の前方側にインキ収容部５が位置しており、支持部２１の外周をばね部材８が囲んでいる。
ばね部材８は、シール部７の固定部３８と一体となっており、インキ収容部５の先端面との間に位置している。
固定部３８の軸方向Ｌの先端面は、係止部１９の後端面と当接しており、係止部１９によって前方側への移動が規制されている。
【００４２】
また、ペン先部材６の付近では、支持部２１の連通孔２４に、ペン先部材６が挿着されており、支持部２１がペン先部材６の取付部２６を保持している。
すなわち、出没式塗布具１は、支持部２１の軸方向Ｌの前方側において、支持部２１からペン先部材６の塗布部１０が露出しており、支持部２１の軸方向Ｌの後方側において、支持部２１からペン先部材６の吸引部２７が収容本体２０の収容空間２３の内部に位置している。また、吸引部２７は、収容本体２０内部でインキ吸蔵体２２と接触している。
つまり、出没式塗布具１は、塗布部１０に圧力が加わると、インキ吸蔵体２２で保持されたインキが吸引部２７で吸引され、取付部２６を経由して塗布部１０に伝わる状態となっている。
【００４３】
また塗布部１０付近に注目すると、出没式塗布具１は、塗布部１０が封止空間４７内に収容された収容姿勢となっている。
【００４４】
シール部７の挿通開口４１には、支持部２１が圧入されており、挿通開口４１は、支持部２１及びペン先部材６の取付部２６によって閉塞されている。
また先端側開口部１１の軸方向Ｌの投影面上に挿通孔４０が位置している。軸方向Ｌからみたときに先端側開口部１１の中心は、挿通孔４０の中心と一致している。
【００４５】
強磁性体３６，３７は、閉塞壁部４２，４３の外側面に設けられている。すなわち、強磁性体３６，３７は、閉塞壁部４２，４３を挟んで、対向する位置関係となっている。
強磁性体３６と強磁性体３７は、磁力によって互いに引かれ合っており、シール本体３５の閉塞壁部４２，４３同士を挟持している。すなわち、挿通孔４０は、その内側面たる閉塞壁部４２，４３同士が磁力によって圧着されることによって、閉塞されている。言い換えると、閉塞壁部４２は、径方向において、引力によって閉塞壁部４３と重なっている。このように、シール部７は、挿通孔４０及び挿通開口４１が閉塞されており、封止空間４７が密閉空間となっている。
【００４６】
続いて、退避状態（収容姿勢）から塗布可能状態（露出姿勢）に変更する際の動作及び各部材の位置関係について説明する。
【００４７】
使用者が指等によってノック筒３を押圧し、その後ノック筒３を離すと、出没式塗布具１は、ペン先部材６の塗布部１０が挿通孔４０から露出して、退避状態から塗布可能状態に変更される。
【００４８】
このとき、出没式塗布具１では、図５（ａ），図５（ｂ）のように、使用者によるノック筒３への押圧力によって、ばね部材８による後方側への付勢力に反して、インキ収容部５及びペン先部材６が一体的に前方側に移動する。その結果、インキ収容部５の支持部２１の先端部及び／又はペン先部材６の塗布部１０がシール部７のシール本体３５の閉塞壁部４２，４３と接触し、押圧力が閉塞壁部４２，４３に伝わる。
そうすると、閉塞壁部４２，４３の少なくとも一方（本実施形態では閉塞壁部４２，４３の双方）が広がる方向に弾性変形して、挿通孔４０の一部に隙間ができ、当該隙間に塗布部１０の一部が進入していく。
そして、インキ収容部５及びペン先部材６の前方側への移動に伴い、隙間が拡張していき、それに伴い強磁性体３６，３７間の距離も離れていくので、強磁性体３６，３７の閉塞壁部４２，４３への押圧力も弱くなる。その後、図５（ｂ），図５（ｃ）のように、隙間の径方向の距離（閉塞壁部４２，４３の距離）が一定の距離まで開くと、強磁性体３６，３７の閉塞壁部４２，４３への押圧力がほとんどなくなり、挿通孔４０が開口し、塗布部１０が挿通孔４０を挿通する。すなわち、出没式塗布具１は、塗布部１０が挿通孔４０を挿通して封止空間４７の外部に露出した露出姿勢となる。
そして、使用者が指を離し、使用者からの押圧力がなくなると、インキ収容部５及びペン先部材６が若干後方側への移動し、軸筒２と収容本体２０間での係合により、軸筒２の先端側開口部１１から塗布部１０が露出した状態で保持される。
【００４９】
続いて、塗布可能状態（露出姿勢）から退避状態（収容姿勢）に変更する場合について説明する。
【００５０】
使用者が指等によってノック筒３を再度押圧し、その後ノック筒３を離すと、出没式塗布具１は、ペン先部材６の塗布部１０が挿通孔４０内に退避して、塗布可能状態から退避状態に変更される。
【００５１】
このとき、出没式塗布具１では、使用者による押圧を受けて、軸筒２と収容本体２０間での係合が解除されて、インキ収容部５及びペン先部材６が若干前方側へ移動する。
その後、使用者が指を離し、押圧力を受けなくなると、図６（ａ），図６（ｂ）のように、ばね部材８の復元力によってインキ収容部５及びペン先部材６が後方に移動し、挿通孔４０からペン先部材６の塗布部１０が抜け、インキ収容部５の支持部２１の先端部及び／又はペン先部材６の塗布部１０が閉塞壁部４２，４３から離れる。
このとき、ペン先部材６の塗布部１０が挿通孔４０から抜けていくにつれて、弾性復元力により、閉塞壁部４２，４３の撓みが解消されていき、閉塞壁部４２，４３同士が近接する。ある程度近接すると、図６（ｂ），図６（ｃ）のように、強磁性体３６，３７間に働く磁力によってシール本体３５の閉塞壁部４２，４３が互いにさらに近接するように押し付けられて、閉塞壁部４２，４３が圧着し、挿通孔４０が閉塞される。すなわち、出没式塗布具１は、塗布部１０が封止空間４７内に収容された収容姿勢に戻る。
【００５２】
以上のように、本実施形態の出没式塗布具１によれば、強磁性体３６，３７間に働く磁力によって封止する。すなわち、磁力は、強磁性体３６，３７の距離が近づくにつれて強くなっていくので、退避状態にして、閉塞壁部４２，４３を密着させて封止する際には、強磁性体３６，３７間の距離が近くなり、より強い磁力が働く。この強く働く磁力によって、閉塞壁部４２，４３が隙間なく押さえつけられて強固に密着するので、封止機能が高い。すなわち、ペン先部材６の塗布部１０が封止されて、塗布部１０のインキが渇きにくい。
【００５３】
また、本実施形態の出没式塗布具１によれば、退避状態から塗布可能状態に変更する際には、強磁性体３６，３７間の磁力が働く方向と、インキ収容部５及びペン先部材６の移動方向が交差する方向（直交する方向も含む）となっているので、ばね部材８を圧縮し、閉塞壁部４２，４３を離反できれば、その後に大きな力を必要としない。そのため、容易に退避状態から塗布可能状態に変更することができる。
【００５４】
上記した実施形態では、一方の強磁性体３６をＮ型磁石とし、他方の強磁性体３７をＳ型磁石としたが、本発明はこれに限定されるものではなく、一対の強磁性体３６，３７は必ずしも双方が磁石である必要はない。一対の強磁性体３６，３７が磁力によって引き付けられるものであればよい。例えば、一方の強磁性体を磁石とし、他方を一方の強磁性体によって引き付けられる強磁性体（例えば、鉄）としてもよい。
【００５５】
上記した実施形態では、別体であるシール本体３５と強磁性体３６，３７を接着してシール部７を構成したが、本発明はこれに限定されるものではなく、シール本体３５と強磁性体３６，３７が一体物であってもよい。
【００５６】
上記した実施形態では、シール本体３５の閉塞壁部４２，４３の外面に強磁性体３６，３７が設けられていたが、本発明はこれに限定されるものではなく、閉塞壁部４２，４３の内面に強磁性体３６，３７が設けられていてもよい。
【００５７】
上記した実施形態では、シール部７は、軸筒２の内部に設けていたが、本発明はこれに限定されるものではなく、軸筒２の外部に設けてもよい。
例えば、図７に示されるように、軸筒２の先端部にシール部７を設けて、露出姿勢にすることで塗布部１０を塗布可能状態とし、収容姿勢にすることで塗布部１０を退避状態としてもよい。
【００５８】
上記した実施形態では、収容姿勢から露出姿勢に変更する際に、支持部２１を閉塞壁部４２，４３に当接させ、閉塞壁部４２，４３の双方を弾性変形させることによって、閉塞壁部４２，４３間に隙間を形成させたが、本発明はこれに限定されるものではなく、支持部２１を片方の閉塞壁部４２に当接させて、片方の閉塞壁部４２のみを弾性変形させて閉塞壁部４２，４３間に隙間を形成してもよい。
またこの観点からいうと、上記した実施形態のように、閉塞壁部４２，４３の双方を弾性体で形成する必要はなく、閉塞壁部４２，４３のうち一方の閉塞壁部のみを弾性体で形成してもよい。
【００５９】
上記した実施形態では、支持部２１を閉塞壁部４２，４３に当接させて、閉塞壁部４２，４３の間に隙間を形成したが、本発明はこれに限定されるものではなく、ペン先部材６の塗布部１０を閉塞壁部４２，４３に当接させて閉塞壁部４２，４３の間に隙間を形成してもよい。
【００６０】
上記した実施形態では、リブ状の係止部１９を設けることによって、シール部７の前方側への移動を規制したが、本発明はこれに限定されるものではなく、軸筒２の先端側形成部１１の一部に傾斜面５１を設けて、傾斜面５１によってシール部７の前方側への移動を係止してもよい。
具体的には、図８に示されるように、先端側形成部５０の内側面は、その軸方向の中間部から先端側の先端側開口部１１に向けて、テーパー状となっている。すなわち、先端側形成部５０は、軸方向の後方側から前方側に向けて、傾斜した傾斜面５１を備えており、その内径が漸次小さくなっている。そして、組み立てた状態において、シール部７の固定部３８は、先端側の先端側開口部１１に向かって圧入されており、傾斜面５１と密着して弾性変形している。
【符号の説明】
【００６１】
１  出没式塗布具
２  軸筒
６  ペン先部材
７  シール部
１０  塗布部
２８  塗布面
３６，３７  強磁性体（磁力発生部）
４０  挿通孔
４２，４３  閉塞壁部
４７  封止空間
【図１】
2016172343.tif 000003
【図２】
2016172343.tif 000004
【図３】
2016172343.tif 000005
【図４】
2016172343.tif 000006
【図５】
2016172343.tif 000007
【図６】
2016172343.tif 000008
【図７】
2016172343.tif 000009
【図８】
2016172343.tif 000010